(57)【特許請求の範囲】
【請求項１】
充電池と、入力電源を利用して前記充電池に対して充電する充電回路と、前記入力電源の供給が停止した場合に前記充電池に充電された電力を前記入力電源に代えて出力する出力回路を備え、前記入力電源に対して並列に接続される複数の無停電電源部と、
前記複数の無停電電源部における前記充電回路と前記充電池と前記出力回路との間で受給される電力の経路についての切り替えが行われる経路切替部と、
前記無停電電源部の状態に応じて前記経路の切り替えが行われるように前記経路切替部を制御する制御部と
を備え、
前記制御部は、
残量が第一の閾値以下となった充電対象の充電池に対して、当該充電対象の充電池を備える無停電電源部における充電回路とともに、前記充電対象の充電池を備える無停電電源部以外の無停電電源部の充電回路からも急速充電が行われる経路に切り替わるように前記経路切替部を制御し、
前記残量が前記第一の閾値より高い第二の閾値以上となった充電対象の充電池に対して、当該充電対象の充電池を備える無停電電源部における充電回路とともに、前記充電対象の充電池を備える無停電電源部以外の無停電電源部の充電回路から低速充電が行われる経路に切り替わるように前記経路切替部を制御する
ことを特徴とする無停電電源装置。
【請求項２】
前記経路切替部は、任意の前記充電回路から任意の充電池に充電されるようにするための経路への切り替え、または、任意の前記充電池から任意の前記出力回路に対して電力が供給されるようにする経路への切り替えが行われる
ことを特徴とする請求項１に記載の無停電電源装置。
【請求項３】
前記制御部は、
入力電流が閾値以上となった電力充当対象の無停電電源部に対して、他の無停電電源部における充電池からの電力が前記電力充当対象の無停電電源部における出力回路に供給される経路に切り替わるように前記経路切替部を制御する
ことを特徴とする請求項１または請求項２に記載の無停電電源装置。
【請求項４】
前記複数の無停電電源部には、それぞれ異なる優先度が設定されており、
前記制御部は、
充電池の電力を前記無停電電源部から出力させるにあたり、１つの無停電電源部の出力回路に対して、より優先度の低い無停電電源部の充電池からの電力が供給される経路に切り替わるように前記経路切替部を制御する
ことを特徴とする請求項１から請求項３のいずれか一項に記載の無停電電源装置。
【請求項５】
充電池と、入力電源を利用して前記充電池に対して充電する充電回路と、前記入力電源の供給が停止した場合に前記充電池に充電された電力を前記入力電源に代えて出力する出力回路を備え、前記入力電源に対して並列に接続される複数の無停電電源部の状態に応じて、これら複数の無停電電源部における前記充電回路と前記充電池と前記出力回路との間で受給される電力の経路についての切り替えが行われるように経路切替部を制御する制御ステップ
を備え、
前記制御ステップにおいて、
残量が第一の閾値以下となった充電対象の充電池に対して、当該充電対象の充電池を備える無停電電源部における充電回路とともに、前記充電対象の充電池を備える無停電電源部以外の無停電電源部の充電回路からも急速充電が行われる経路に切り替わるように前記経路切替部を制御し、
前記残量が前記第一の閾値より高い第二の閾値以上となった充電対象の充電池に対して、当該充電対象の充電池を備える無停電電源部における充電回路とともに、前記充電対象の充電池を備える無停電電源部以外の無停電電源部の充電回路から低速充電が行われる経路に切り替わるように前記経路切替部を制御する
ことを特徴とする無停電電源装置における給電制御方法。
【請求項６】
充電池と、入力電源を利用して前記充電池に対して充電する充電回路と、前記入力電源の供給が停止した場合に前記充電池に充電された電力を前記入力電源に代えて出力する出力回路を備えたコンピュータに、
前記入力電源に対して並列に接続される複数の無停電電源部の状態に応じて、これら複数の無停電電源部における前記充電回路と前記充電池と前記出力回路との間で受給される電力の経路についての切り替えが行われるように経路切替部を制御する制御ステップを実行させ、
当該制御ステップは、
残量が第一の閾値以下となった充電対象の充電池に対して、当該充電対象の充電池を備える無停電電源部における充電回路とともに、前記充電対象の充電池を備える無停電電源部以外の無停電電源部の充電回路からも急速充電が行われる経路に切り替わるように前記経路切替部を制御し、
前記残量が前記第一の閾値より高い第二の閾値以上となった充電対象の充電池に対して、当該充電対象の充電池を備える無停電電源部における充電回路とともに、前記充電対象の充電池を備える無停電電源部以外の無停電電源部の充電回路から低速充電が行われる経路に切り替わるように前記経路切替部を制御するステップである
ことを特徴とするプログラム。
【発明の詳細な説明】
【技術分野】
【０００１】
本発明は、無停電電源装置と、この無停電電源装置における給電制御方法、プログラムに関する。
【背景技術】
【０００２】
例えば商用交流電源が停止するなどの異常が発生するのに応じて、商用交流電源に代えて充電池に蓄積された電力を負荷に供給するようにした無停電電源装置が知られている。このような無停電電源装置として、複数のＵＰＳ（Uninterruptible Power Supply）に対して運転管理装置からの制御信号を並列に接続することにより、複数のＵＰＳを連動して制御するようにした技術が知られている（例えば、特許文献１参照）。
【先行技術文献】
【特許文献】
【０００３】
【特許文献１】特開平１０−９８８３９号公報
【発明の概要】
【発明が解決しようとする課題】
【０００４】
しかし、上記特許文献１の構成において複数のＵＰＳの各々は、制御信号が共通である以外は個別に完結した構成となっている。このために、例えば１つのＵＰＳが備える充電池を、他のＵＰＳ部における電力の出力や充電などに利用することはできない。
【０００５】
そこでこの発明は、上述の課題を解決することのできる無停電電源装置、給電制御方法、プログラムを提供することを目的とする。
【課題を解決するための手段】
【０００６】
本発明は、上述の課題を解決すべくなされたもので、本発明の一態様としての無停電現装置は、充電池と、入力電源を利用して前記充電池に対して充電する充電回路と、前記入力電源の供給が停止した場合に前記充電池に充電された電力を前記入力電源に代えて出力する出力回路を備え、前記入力電源に対して並列に接続される複数の無停電電源部と、前記複数の無停電電源部における前記充電回路と前記充電池と前記出力回路との間で受給される電力の経路についての切り替えが行われる経路切替部と、前記無停電電源部の状態に応じて前記経路の切り替えが行われるように前記経路切替部を制御する制御部とを備え、前記制御部は、残量が第一の閾値以下となった充電対象の充電池に対して、当該充電対象の充電池を備える無停電電源部における充電回路とともに、前記充電対象の充電池を備える無停電電源部以外の無停電電源部の充電回路からも急速充電が行われる経路に切り替わるように前記経路切替部を制御し、前記残量が前記第一の閾値より高い第二の閾値以上となった充電対象の充電池に対して、当該充電対象の充電池を備える無停電電源部における充電回路とともに、前記充電対象の充電池を備える無停電電源部以外の無停電電源部の充電回路から低速充電が行われる経路に切り替わるように前記経路切替部を制御することを特徴とする。
【０００７】
また、本発明の一態様としての無停電電源装置における給電制御方法は、充電池と、入力電源を利用して前記充電池に対して充電する充電回路と、前記入力電源の供給が停止した場合に前記充電池に充電された電力を前記入力電源に代えて出力する出力回路を備え、前記入力電源に対して並列に接続される複数の無停電電源部の状態に応じて、これら複数の無停電電源部における前記充電回路と前記充電池と前記出力回路との間で受給される電力の経路についての切り替えが行われるように経路切替部を制御する制御ステップを備え、前記制御ステップにおいて、残量が第一の閾値以下となった充電対象の充電池に対して、当該充電対象の充電池を備える無停電電源部における充電回路とともに、前記充電対象の充電池を備える無停電電源部以外の無停電電源部の充電回路からも急速充電が行われる経路に切り替わるように前記経路切替部を制御し、前記残量が前記第一の閾値より高い第二の閾値以上となった充電対象の充電池に対して、当該充電対象の充電池を備える無停電電源部における充電回路とともに、前記充電対象の充電池を備える無停電電源部以外の無停電電源部の充電回路から低速充電が行われる経路に切り替わるように前記経路切替部を制御することを特徴とする。
【０００８】
また、本発明の一態様としてのプログラムは、充電池と、入力電源を利用して前記充電池に対して充電する充電回路と、前記入力電源の供給が停止した場合に前記充電池に充電された電力を前記入力電源に代えて出力する出力回路を備えたコンピュータに、前記入力電源に対して並列に接続される複数の無停電電源部の状態に応じて、これら複数の無停電電源部における前記充電回路と前記充電池と前記出力回路との間で受給される電力の経路についての切り替えが行われるように経路切替部を制御する制御ステップを実行させ、当該制御ステップは、残量が第一の閾値以下となった充電対象の充電池に対して、当該充電対象の充電池を備える無停電電源部における充電回路とともに、前記充電対象の充電池を備える無停電電源部以外の無停電電源部の充電回路からも急速充電が行われる経路に切り替わるように前記経路切替部を制御し、前記残量が前記第一の閾値より高い第二の閾値以上となった充電対象の充電池に対して、当該充電対象の充電池を備える無停電電源部における充電回路とともに、前記充電対象の充電池を備える無停電電源部以外の無停電電源部の充電回路から低速充電が行われる経路に切り替わるように前記経路切替部を制御するステップであることを特徴とする。
【発明の効果】
【０００９】
本発明によれば、複数の無停電電源部から成る無停電電源装置において、１つの無停電電源部が備える充電池や充電回路などを他の無停電電源部においても利用できることとなって電力受給の柔軟性が向上するという効果が得られる。
【図面の簡単な説明】
【００１０】
【図１】本発明の実施形態における無停電電源装置の構成例を示す図である。
【図２】本実施形態の無停電電源装置における充電回路と出力回路と充電池の間における電力受給経路を模式的に示す図である。
【図３】ＵＰＳ部のうちのいずれかが過負荷となる状態に対応して制御部が実行する処理手順例を示す図である。
【図４】ＵＰＳ部のうちのいずれかにおける充電池に対して急速充電を行うために制御部が実行する処理手順例を示す図である。
【図５】バックアップに際してＵＰＳ部の優先度に応じて充電池から出力回路への電力供給を制御するために制御部が実行する処理手順例を示す図である。
【図６】本実施形態における変形例としての無停電電源装置の構成例を示す図である。
【発明を実施するための形態】
【００１１】
以下、本発明の一実施形態による無停電電源装置を図面を参照して説明する。
本実施形態による無停電電源装置は、入力電源に対して並列に接続される複数の無停電電源部と、複数の無停電電源部における充電回路と充電池と出力回路との間で受給される電力の経路についての切り替えが行われる経路切替部と、無停電電源部の状態に応じて経路の切り替えが行われるように経路切替部を制御する制御部とを少なくとも備えている。
【００１２】
図１は、本実施形態における無停電電源装置１００の構成例を示している。この図に示す無停電電源装置１００は、筐体１０１において、３つのＵＰＳ（Uninterruptible Power Supply）部１１０−１、１１０−２、１１０−３と制御部１２０を備える。
【００１３】
ＵＰＳ部１１０−１は、常時商用給電方式による無停電電源部である。常時商用給電方式とは、通常時には商用交流電源（入力電源）をサージ保護回路およびノイズフィルタを経由して出力し、例えば商用交流電源が停止するなどの障害発生時には充電池から電力を出力する方式である。
【００１４】
ＵＰＳ部１１０−２は、ラインインタラクティブ方式による無停電電源部である。ラインインタラクティブ方式とは、通常時には商用交流電源をサージ保護回路およびノイズフィルタを経由して通して出力し、ノイズフィルタにより除去できないノイズ波形を検知すると障害が発生したと判定して充電池から電力を出力する方式である。
【００１５】
ＵＰＳ部１１０−３は、インバータ方式による無停電電源部である。インバータ方式は、通常時においては商用交流電源をコンバータからインバータを経由して出力し、障害発生時には、充電池の電力を上記インバータ経由で出力させる方式である。
【００１６】
上記ＵＰＳ部１１０−１から１１０−３に対しては、商用交流電源２００が並列に入力される。つまり、ＵＰＳ部１１０−１から１１０−３は、商用交流電源２００に対して互いに並列となるように備えられる。
【００１７】
ＵＰＳ部１１０−１は、上記商用交流電源２００を入力してそのまま出力電源Ｐｏ１として出力するスルー経路１１１−１を備える。なお、出力電源Ｐｏ１は、所定の負荷装置に対して電源として供給される。そのうえで、充電回路１１２−１、出力回路１１３−１、充電池１１４−１および経路切替スイッチＳＷ１１からＳＷ１６を備える。
【００１８】
充電回路１１２−１は、商用交流電源２００を入力して充電電流を出力する。充電回路１１２−１は急速充電のための急速充電用充電電流と、低速充電のための低速充電用充電電流との２つの充電電流を出力する。例えば急速充電用充電電流は、低速充電用充電電流よりも電流量が大きい。急速充電用充電電流は経路切替スイッチＳＷ１１を介して急速充電ライン１３１に供給され、低速充電用充電電流は経路切替スイッチＳＷ１２を介して低速充電ライン１３２に供給される。
【００１９】
出力回路１１３−１は、経路切替スイッチＳＷ１３を介して放電ライン１３３から直流電力が供給される場合に、この直流電力を交流に変換して出力電源Ｐｏ１として出力する。
【００２０】
充電池１１４−１は、供給される充電電流により充電を行って電力を蓄積するとともに、蓄積された電力を放電する。具体的に、充電池１１４−１は、経路切替スイッチＳＷ１４を介して急速充電ライン１３１から急速充電用充電電流が供給される場合には、この急速充電用充電電流により急速充電を行う。また、充電池１１４−１は、経路切替スイッチＳＷ１５を介して低速充電ライン１３２から低速充電用充電電流が供給される場合には、この低速充電用充電電流により急速充電を行う。また、充電池１１４−１は、経路切替スイッチＳＷ１６を介して放電ライン１３３と接続されている場合には、蓄積している電力を放電させて放電ライン１３３に出力する。
【００２１】
ＵＰＳ部１１０−２は、上記ＵＰＳ部１１０−１と同様の構成により、スルー経路１１１−２を備える。そのうえで、充電回路１１２−２、出力回路１１３−２、充電池１１４−２および経路切替スイッチＳＷ２１からＳＷ２６を備える。
【００２２】
また、ＵＰＳ部１１０−３は、上記ＵＰＳ部１１０−１およびＵＰＳ部１１０−２と同様の構成により、スルー経路１１１−３を備える。そのうえで、充電回路１１２−３、出力回路１１３−３、充電池１１４−３および経路切替スイッチＳＷ３１からＳＷ３６を備える。
【００２３】
なお、ＵＰＳ部１１０−１、１１０−２および１１０−３の各々が対応する方式については、上記した方式に限定されるものではない。また、ＵＰＳ部１１０−１、１１０−２および１１０−３の各々が必ずしも異なる方式を採用する必要はなく、これらのうちの少なくとも２つが同じ方式に対応していてもよい。
【００２４】
また、上記の説明から理解されるように、急速充電ライン１３１は、急速充電用充電電流の受給のためにＵＰＳ部１１０−１、１１０−２および１１０−３が共有するラインである。低速充電ライン１３２は、低速充電用充電電流の受給のためにＵＰＳ部１１０−１、１１０−２および１１０−３が共有するラインである。放電ライン１３３は、放電電力の受給のためにＵＰＳ部１１０−１、１１０−２および１１０−３が共有するラインである。
【００２５】
また、急速充電ライン１３１、低速充電ライン１３２および放電ライン１３３において、ＵＰＳ部１１０−１とＵＰＳ部１１０−２の間には、それぞれ、経路切替スイッチＳＷ４１、ＳＷ４２およびＳＷ４３が接続される。同様に、急速充電ライン１３１、低速充電ライン１３２および放電ライン１３３において、ＵＰＳ部１１０−２とＵＰＳ部１１０−３の間には、それぞれ、経路切替スイッチＳＷ５１、ＳＷ５２およびＳＷ５３が接続される。また、ＵＰＳ部１１０−１とＵＰＳ部１１０−３の間には、それぞれ、経路切替スイッチＳＷ６１、ＳＷ６２およびＳＷ６３が接続される。
【００２６】
制御部１２０は、上記ＵＰＳ部１１０−１、１１０−２および１１０−３における所定の状態に応じて、充電回路１１２−１、１１２−２、１１２−３と、出力回路１１３−１、１１３−２、１１３−３と、充電池１１４−１、１１４−２、１１４−３との間で受給される電力の経路の切り替えが行われるように制御する。このために、制御部１２０は、経路切替スイッチＳＷ１１からＳＷ１６、経路切替スイッチＳＷ２１からＳＷ２６、経路切替スイッチＳＷ３１からＳＷ３６、経路切替スイッチＳＷ４１からＳＷ４３、経路切替スイッチＳＷ５１からＳＷ５３および経路切替スイッチＳＷ６１からＳＷ６３をそれぞれ個別にオンオフ制御する。
【００２７】
なお、以降において、ＵＰＳ部１１０−１、１１０−２および１１０−３について特に区別することなく言及する場合には、ＵＰＳ部１１０と記載する。同様に、スルー経路１１１−１、１１１−２および１１１−３について特に区別することなく言及する場合には、スルー経路１１１と記載する。充電回路１１２−１、１１２−２および１１１−３について特に区別することなく言及する場合には、充電回路１１２と記載する。また、出力回路１１３−１、１１３−２および１１３−３について特に区別することなく言及する場合には、出力回路１１３と記載する。また、充電池１１４−１、１１４−２および１１４−３について特に区別することなく言及する場合には、充電池１１４と記載する。
【００２８】
図２は、図１に示した構成により実現される充電回路１１２と出力回路１１３と充電池１１４との間で形成される電力受給経路を模式的に示したものである。なお、この図において、図１と同一部分には同一符号を付している。
【００２９】
図２において示される経路切替部１７０は、制御部１２０の制御により、充電回路１１２−１、１１２−２、１１２−３、出力回路１１３−１、１１３−２、１１３−３および充電池１１４−１、１１４−２、１１４−３の間で電力の経路の切り替えが行われる部位である。この経路切替部１７０は、図１との対応では、経路切替スイッチＳＷ１１からＳＷ１６、経路切替スイッチＳＷ２１からＳＷ２６、経路切替スイッチＳＷ３１からＳＷ３６、経路切替スイッチＳＷ４１からＳＷ４３、経路切替スイッチＳＷ５１からＳＷ５３および経路切替スイッチＳＷ６１からＳＷ６３から成るものとしてみることができる。
【００３０】
この図に示すように、経路切替部１７０は、充電回路１１２−１、１１２−２、１１２−３側と充電池１１４−１、１１４−２、１１４−３側とを、急速充電ライン１３１を経由して任意の組合せにより接続することができる。
【００３１】
また、経路切替部１７０は、充電回路１１２−１、１１２−２、１１２−３側と充電池１１４−１、１１４−２、１１４−３側とを、低速充電ライン１３２を経由して任意の組合せにより接続することができる。
【００３２】
さらに、経路切替部１７０は、充電池１１４−１、１１４−２、１１４−３側と出力回路１１３−１、１１３−２、１１３−３側とを、放電ライン１３３を経由して任意の組合せにより接続することができる。
【００３３】
例えば、特に障害が発生していない通常時において、ＵＰＳ部１１０−１は、入力した商用交流電源２００をスルー経路１１１−１経由で出力電源Ｐｏ１として出力させる。また、ＵＰＳ部１１０−１は、充電回路１１２−１により充電池１１４−１に対して低速充電を行わせたうえで、この際の充電電力が放電されないように出力回路１１３−１からは充電電力を出力させないようにしている。
【００３４】
同様に、ＵＰＳ部１１０−２は、入力した商用交流電源２００をスルー経路１１１−２経由で出力電源Ｐｏ２として出力させる。また、ＵＰＳ部１１０−２は、充電回路１１２−２により充電池１１４−２に対して低速充電を行い、出力回路１１３−２からは充電電力を出力させないようにしている。
【００３５】
同様に、ＵＰＳ部１１０−３は、入力した商用交流電源２００をスルー経路１１１−３経由で出力電源Ｐｏ３として出力させる。また、ＵＰＳ部１１０−３は、充電回路１１２−３により充電池１１４−３に対して低速充電を行い、出力回路１１３−３からは充電電力を出力させないようにしている。
【００３６】
つまり、通常時において、ＵＰＳ部１１０は、それぞれ、その内部におけるスルー経路１１１経由で商用交流電源２００を出力電源として出力させるとともに、充電回路１１２により充電池１１４に対して低速充電が行われるように個別に独立して動作する。
【００３７】
このために、制御部１２０は、経路切替スイッチＳＷ４１、ＳＷ４２、ＳＷ４３、ＳＷ５１、ＳＷ５２、ＳＷ５３、ＳＷ６１、ＳＷ６２、ＳＷ６３をオフする。これにより、急速充電ライン１３１、低速充電ライン１３２および放電ライン１３３を、ＵＰＳ部１１０−１、１１０−２、１１０−３間で切り離す。これとともに、制御部１２０は、ＵＰＳ部１１０−１における経路切替スイッチＳＷ１２とＳＷ１５をオンとして、経路切替スイッチＳＷ１１、ＳＷ１３、ＳＷ１４、ＳＷ１６についてはオフとする。また、制御部１２０は、ＵＰＳ部１１０−２における経路切替スイッチＳＷ２２とＳＷ２５をオンとして、経路切替スイッチＳＷ２１、ＳＷ２３、ＳＷ２４、ＳＷ２６についてはオフとする。また、制御部１２０は、ＵＰＳ部１１０−３における経路切替スイッチＳＷ３２とＳＷ３５をオンとして、経路切替スイッチＳＷ３１、ＳＷ３３、ＳＷ３４、ＳＷ３６についてはオフとする。
【００３８】
これに対して、例えばＵＰＳ部１１０−１において負荷が重くなるのに伴って入力電流量が予め設定した規定値以上になるという過負荷の状態になったとする。なお、入力電流量については、例えば以下のように検出することができる。つまり、スルー経路１１１に流れる電流量を検出する電流検出回路（図示せず）を備える。そして、制御部１２０により、上記電流検出回路において検出された電流量を監視すればよい。
【００３９】
この場合において、例えば充電池１１４−１、１１４−２、１１４−３のうちで規定値を越える分の電流を充当するだけの電力が蓄積されているものがあれば、制御部１２０は、その充電池１１４とＵＰＳ部１１０−１の出力回路１１３−１を放電ライン１３３経由で接続されるように経路切替部１７０における経路切り替えを行う。
【００４０】
具体的に、充電池１１４−１、１１４−２、１１４−３のうちで電流を充当可能なものが充電池１１４−１と充電池１１４−２であったとする。この場合、制御部１２０は、図１における経路切替スイッチＳＷ４３をオンにして、ＵＰＳ部１１０−１とＵＰＳ部１１０−２との放電ライン１３３を共有させる。また、制御部１２０は、ＵＰＳ部１１０−１において経路切替スイッチＳＷ１３、ＳＷ１６をオンとする。また、制御部１２０は、ＵＰＳ部１１０−２においてＳＷ２６をオンとする。
【００４１】
これにより、充電池１１４−１と充電池１１４−２に蓄積された各電力が放電ライン１３３から出力回路１１３−１に対して供給される。出力回路１１３−１は、これらの入力された電力を交流に変換して、上記既定値を超える分の電流を充当させるように電流量を調整して出力電源Ｐｏ１に出力する。
【００４２】
このように、本実施形態においては、ＵＰＳ部１１０のうちのいずれかにおいて過負荷の状態が生じたとき、任意のＵＰＳ部１１０における充電池１１４から入力電流を充当させることができる。
【００４３】
図３のフローチャートは、上記のようにＵＰＳ部１１０のうちのいずれかが過負荷となる状態に対応して制御部１２０が実行する処理手順例を示している。なお、この図に示す処理は、１つのＵＰＳ部１１０を対象とした処理となる。制御部１２０は、この図に示す処理を、ＵＰＳ部１１０−１、1１０−２、１１０−３ごとに並行して所定タイミングで繰り返し実行する。
【００４４】
まず、制御部１２０は、現在の処理対象であるＵＰＳ部１１０における入力電流を検出し、この入力電流量が前述の規定値に対応する閾値ｔｈ１以上であるか否かについて判定する（ステップＳ１０１）。
【００４５】
ここで、入力電流量が閾値ｔｈ１未満であると判定した場合には（ステップＳ１０１−ＮＯ）、過負荷の状態ではなく通常状態であることになる。そこで、制御部１２０は、前述のように通常状態に対応したＵＰＳ部１１０の動作となるように、経路切替部１７０を形成する経路切替スイッチのオンオフ状態を制御する（ステップＳ１０６）。
【００４６】
これに対して、入力電流量が閾値ｔｈ１以上の過負荷の状態であると判定した場合（ステップＳ１０１−ＹＥＳ）、制御部１２０は、さらに障害が発生しているか否かについて判定する（ステップＳ１０２）。ここでの判定対象となる障害として、具体的には、１つには停電などによって商用交流電源２００の供給が停止されている状態が挙げられる。
【００４７】
障害が発生していると判定した場合（ステップＳ１０２−ＹＥＳ）、対象以外のＵＰＳ部１１０におけるそれぞれが充電池１１４から出力電源を供給する必要がある。そこで、この場合、制御部１２０は、通常状態に対応する電力の経路が形成されるように経路切替部１７０における経路切替スイッチのオンオフ状態を制御する（ステップＳ１０６）。
【００４８】
これに対して、障害が発生していないと判定した場合（ステップＳ１０２−ＮＯ）、制御部１２０は、充当電流量Ｉ１を算出する（ステップＳ１０３）。充当電流量Ｉ１は、入力電流量において既定値を超える分の電流量である。制御部１２０は、例えば検出した入力電流量の絶対値から閾値ｔｈ１（つまり、既定値）を減算することにより充当電流量Ｉ１を算出する。
【００４９】
次に、制御部１２０は、充電池１１４−１、１１４−２および１１４−３のうちで上記のように算出した充当電流量Ｉ１を充当可能な充電池１１４が有るか否かについて判定する（ステップＳ１０４）。このために、制御部１２０は、充電池１１４−１、１１４−２および１１４−３のそれぞれにおける蓄積電力量を所定の閾値と比較する。閾値以上であれば、その充電池１１４は、充当電流量Ｉ１を充当可能なだけの電力量を蓄積していることになり、閾値未満であれば、その充電池１１４は、充当電流量Ｉ１を充当可能なだけの電力量を蓄積していないことになる。
【００５０】
充当電流量Ｉ１を充当可能な充電池１１４は無いと判定した場合（ステップＳ１０４−ＮＯ）、制御部１２０は、通常状態に対応する経路が形成されるように制御する（ステップＳ１０６）。これに対して、充当電流量Ｉ１を充当可能な充電池１１４が有ると判定した場合（ステップＳ１０４−ＹＥＳ）、制御部１２０は、以下の処理を実行する。
【００５１】
つまり、制御部１２０は、上記充当可能な充電池１１４の蓄積電力が放電ライン１３３を介して、現在処理対象のＵＰＳ部１１０における出力回路１１３に出力される経路が形成されるように経路切替部１７０における経路切替スイッチのオンオフ状態を制御する（ステップＳ１０５）。これにより、処理対象のＵＰＳ部１１０においては、スルー経路１１１からの入力電流に、出力回路１１３からの充当電流量Ｉ１が合成されることになり、過負荷に応じた電流の充当が行われることになる。
【００５２】
また、本実施形態においては、以下のように、ＵＰＳ部１１０間で充電池１１４に対する充電を行うことができる。つまり、商用交流電源２００が供給されている状態において、或る１つのＵＰＳ部１１０における充電池１１４の残量が一定以下となったとする。この場合、各ＵＰＳ部１１０が備える充電回路１１２のうち、上記残量が一定以下の充電池１１４への充電に利用可能な充電回路１１２から、上記残量が一定以下の充電池１１４に対して急速充電を行うことができる。
【００５３】
一具体例として、ＵＰＳ部１１０−１における充電池１１４−１の残量が一定以下になったとする。このとき、充電回路１１２−１、１１２−２および１１２−３のうち、充電回路１１２−１と充電回路１１２−３が充電池１１４−１への充電に利用可能であるとする。充電回路１１２−２については、例えば同じＵＰＳ部１１０−２における充電池１１４−２に対して急速充電を行っているために、充電池１１４−１への充電には利用不可であったものとする。
【００５４】
この場合、制御部１２０は、ＵＰＳ部１１０−１の充電池１１４−１に対して充電回路１１２−１と充電回路１１２−３の各々から急速充電ライン１３１を経由して充電を行うための経路を形成するように経路切替部１７０を制御する。
【００５５】
具体的に、制御部１２０は、図１における経路切替スイッチＳＷ６１をオンにして、ＵＰＳ部１１０−１とＵＰＳ部１１０−３との間で急速充電ライン１３１を共有させる。これとともに、制御部１２０は、ＵＰＳ部１１０−１において経路切替スイッチＳＷ１１、ＳＷ１４をオンとする。また、制御部１２０は、ＵＰＳ部１１０−３においてＳＷ３１をオンとする。これにより、ＵＰＳ部１１０−１の充電池１１４−１に対して、急速充電ライン１３１経由で、ＵＰＳ部１１０−１の充電回路１１２−１とＵＰＳ部１１０−３の充電回路１１２−３から急速充電が行われる。
【００５６】
図４のフローチャートは、上記のようにＵＰＳ部１１０のうちのいずれかにおける充電池１１４に対して急速充電を行うために制御部１２０が実行する処理手順例を示している。なお、この図に示す処理は、１つのＵＰＳ部１１０における充電池１１４を対象とした処理となる。制御部１２０は、この図に示す処理を、各ＵＰＳ部１１０の充電池１１４−１、1１４−２、１１４−３ごとに並行して所定タイミングで繰り返し実行する。
【００５７】
まず、制御部１２０は、現在の処理対象である充電池１１４の残量を検出する（ステップＳ２０１）。次に、制御部１２０は、検出した残量が予め設定された閾値ｔｈ２以下であるか否かについて判定する（ステップＳ２０２）。
【００５８】
ここで、上記残量が閾値ｔｈ２以下であると判定した場合（ステップＳ２０２−ＹＥＳ）、制御部１２０は、上記処理対象の充電池１１４に対する充電に利用可能な充電回路１１２が有るか否かについて判定する（ステップＳ２０３）。
【００５９】
ここで、利用可能な充電回路１１２が有ると判定した場合（ステップＳ２０３−ＹＥＳ）、制御部１２０は、以下の処理を実行する。つまり、制御部１２０は、上記ステップＳ２０２により利用可能であると判定された充電回路１１２から処理対象の充電池１１４に対して急速充電ライン１３１経由で充電が行われるように経路を形成する（ステップＳ２０４）。
【００６０】
次に、制御部１２０は、処理対象の充電池１１４の残量が閾値ｔｈ３（ｔｈ３＞ｔｈ２）以上であるか否かについて判定する（ステップＳ２０５）。残量が閾値ｔｈ３未満であると判定した場合（ステップＳ２０５−ＮＯ）、充電池１１４は、未だ、急速充電の完了に対応するものとして予め定められた充電容量にまで到達していないことになる。この場合、制御部１２０は、この図に示す処理を一旦終了し、所定のタイミングで、ステップＳ２０１から処理を再開する。
【００６１】
そして、残量が閾値ｔｈ３以上になったと判定した場合（ステップＳ２０５−ＹＥＳ）、制御部１２０は以下の処理を実行する。つまり、処理対象の充電池１１４に対して、同じＵＰＳ部１１０における充電回路１１２による低速充電が行われる経路となるように経路切替部１７０における経路切替スイッチのオンオフ状態を制御する（ステップＳ２０６）。なお、このように同じＵＰＳ部１１０における充電回路１１２により充電池１１４に対して低速充電を行う動作は、通常状態における動作に対応する。また、残量が閾値ｔｈ２を越えていると判定した場合と（ステップＳ２０２−ＮＯ）、処理対象の充電池１１４への充電に利用可能な充電回路が無いと判定した場合にも（ステップＳ２０３−ＮＯ）、制御部１２０は、上記ステップＳ２０６の処理を実行する。
【００６２】
また、本実施形態の無停電電源装置１００は、例えば停電などで商用交流電源２００の供給が停止されたことに応じて機器のバックアップを行っているときに、充電池１１４の残量が一定以下となるのに応じて以下のように動作する。
【００６３】
本実施形態における無停電電源装置１００においては、ＵＰＳ部１１０ごとに対して異なる優先度が設定されている。ここでは、ＵＰＳ部１１０−１の優先度が最も高く、次にＵＰＳ部１１０−２の優先度が高く、ＵＰＳ部１１０−３が最も優先度が低いものとする。この優先度は、例えば、ＵＰＳ部１１０−１、１１０−２、１１０−３のそれぞれと接続される負荷装置についてのバックアップの優先度に対応している。これは、ＵＰＳ部１１０−１に接続される負荷装置のバックアップを最優先させることを意味している。
【００６４】
停電などで商用交流電源２００の供給が停止されると、制御部１２０は、まず、ＵＰＳ部１１０−１、１１０−２および１１０−３のそれぞれが独立して負荷装置のバックアップを行うように制御する。つまり、制御部１２０は、ＵＰＳ部１１０−１において、充電池１１４−１に蓄積されている電力が放電ライン１３３経由で出力回路１１３−１のみに供給される経路が形成されるように制御する。また、制御部１２０は、ＵＰＳ部１１０−２において、充電池１１４−２に蓄積されている電力が放電ライン１３３経由で出力回路１１３−２のみに供給される経路が形成されるように制御する。また、制御部１２０は、ＵＰＳ部１１０−３において、充電池１１４−３に蓄積されている電力が放電ライン１３３経由で出力回路１１３−３のみに供給される経路が形成されるように制御する。
【００６５】
このときの図１における経路切替スイッチの状態としては、経路切替スイッチＳＷ４３、ＳＷ５３、ＳＷ６３についていずれもオフとすることで、放電ライン１３３を、ＵＰＳ部１１０−１、１１０−２、１１０−３間で分離する。そのうえで、ＵＰＳ部１１０−１において経路切替スイッチＳＷ１３とＳＷ１６をオンとすることで、充電池１１４−１から放電ライン１３３経由で出力回路１１３−１に電力を供給する。同様に、ＵＰＳ部１１０−２において経路切替スイッチＳＷ２３とＳＷ２６をオンとすることで、充電池１１４−２から放電ライン１３３経由で出力回路１１３−２に電力を供給する。また、ＵＰＳ部１１０−３において経路切替スイッチＳＷ３３とＳＷ３６をオンとすることで、充電池１１４−３から放電ライン１３３経由で出力回路１１３−３に電力を供給する。
【００６６】
上記のようにバックアップを行っていくことで各充電池１１４の残量は時間経過に応じて徐々に減少していく。そして、本実施形態においては、１つのＵＰＳ部１１０における充電池１１４の残量が一定以下となった場合、このＵＰＳ部１１０よりも優先度が低いＵＰＳ部１１０の充電池１１４の電力も、上記の優先度が高い方のこのＵＰＳ部１１０のバックアップに利用する。
【００６７】
一具体例として、バックアップ中においてＵＰＳ部１１０−１における充電池１１４の残量が一定以下になったとする。この場合、ＵＰＳ部１１０−１が最も優先度が高い。そこで、制御部１２０は、より優先度の低いＵＰＳ部１１０−２の充電池１１４−２とＵＰＳ部１１０−３の充電池１１４−３から放電される電力も、放電ライン１３３経由でＵＰＳ部１１０−１の出力回路１１３−１に供給されるように経路を制御する。
【００６８】
この場合、制御部１２０は、経路切替スイッチＳＷ４３とＳＷ５３をオンとすることで、放電ライン１３３をＵＰＳ部１１０−１、１１０−２、１１０−３に共有させる。また、制御部１２０は、ＵＰＳ部１１０−１においては、残量が一定以下となる以前のときと同様に経路切替スイッチＳＷ１３とＳＷ１６のオン状態を継続させる。これとともに、制御部１２０は、ＵＰＳ部１１０−２における経路切替スイッチＳＷ２６とＵＰＳ部１１０−３における経路切替スイッチＳＷ３６をオンとする。これにより、ＵＰＳ部１１０−１の出力回路１１３−１に対して、充電池１１４−１に加え、さらに、充電池１１４−２および１１４−３からも電力が供給される。これにより、バックアップを最優先させるべきＵＰＳ部１１０−１の出力電源Ｐｏ１が供給される装置をできる限り長時間動作させることが可能になる。
【００６９】
図５は、上記のようにバックアップに際してＵＰＳ部１１０の優先度に応じて充電池１１４から出力回路１１３への電力供給を制御するために制御部１２０が実行する処理手順例を示している。なお、この図に示す処理は、１つのＵＰＳ部１１０を対象とした処理となる。制御部１２０は、この図に示す処理を、ＵＰＳ部１１０−１、1１０−２、１１０−３ごとに並行して所定タイミングで繰り返し実行する。
【００７０】
まず、制御部１２０は、処理対象のＵＰＳ部１１０における充電池１１４の残量を検出する（ステップＳ３０１）。次に、制御部１２０は、検出した残量が閾値ｔｈ４以下であるか否かについて判定する（ステップＳ３０２）。
【００７１】
残量が閾値ｔｈ４を越えていると判定した場合（ステップＳ３０２−ＮＯ）、処理対象のＵＰＳ部１１０における充電池１１４の残量については未だ余裕があることになる。そこで、この場合の制御部１２０は、この図に示す処理を一旦終了し、所定のタイミングで、ステップＳ３０１からの処理を再開する。
【００７２】
これに対して、残量が閾値ｔｈ４以下であると判定した場合（ステップＳ３０２−ＹＥＳ）、処理対象のＵＰＳ部１１０における充電池１１４の残量に余裕が無くなってきたことになる。そこで、この場合の制御部１２０は、処理対象のＵＰＳ部１１０よりも優先度が低いＵＰＳ部１１０の充電池１１４からも処理対象のＵＰＳ部１１０の出力回路１１３に対して電力が供給される経路が形成されるように経路切替部１７０における経路切替スイッチを制御する（ステップＳ３０３）。
【００７３】
なお、上記説明では、１つのＵＰＳ部１１０における充電池１１４の残量が一定以下となるのに応じて、これより優先度の低いすべてのＵＰＳ部１１０における充電池１１４から電力が供給されるように経路の切り替えが行われるようになっている。バックアップにおける優先度に応じた充電池１１４の割り当て方は上記の他にも考えられる。一例として以下のような充電池１１４の割り当て方を考えることができる。つまり、１つのＵＰＳ部１１０における充電池１１４の残量が一定以下となった場合に、まず、これより優先度の低いＵＰＳ部１１０のうちで最も優先度の低いＵＰＳ部１１０の充電池１１４から電力供給が受けられるようにする。そして、この最も優先度の低いＵＰＳ部１１０の充電池１１４の残量が無くなるのに応じて、その次に優先度が高いＵＰＳ部１１０の充電池１１４が電力供給が受けられるようにして、これを繰り返していくというものである。
【００７４】
また、本実施形態における無停電電源装置１００は、筐体１０１内に方式の異なる複数のＵＰＳ部１１０を並列に備えていることで、１つの無停電電源装置１００により、負荷装置ごとの用途などに応じて適切な方式により電源供給できる。
【００７５】
また、本実施形態においては、例えば無停電電源装置１００が動作している状態においてＵＰＳ部１１０のうちのいずれかにおける充電池１１４を抜き取ったとしても、例えば他のＵＰＳ部１１０の充電池１１４から電力供給を受けられる。つまり、無停電電源装置１００における充電池１１４などの部位を活線挿抜することも可能となる。
【００７６】
また、本実施形態においては、充電回路１１２や充電池１１４などが故障するなどの不具合が生じたとしても、例えば他のＵＰＳ部１１０の充電回路１１２から充電を受けたり、他のＵＰＳ部１１０の充電池１１４から電力供給を受けることができる。つまり、不具合のあった回路などを縮退させて無停電電源装置１００の動作を継続させることも可能となる。
【００７７】
図６は、変形例としての無停電電源装置１００Ａの構成例を示している。なお、図６において図１と同一部分は同一符号を付して説明を省略する。この図に示す無停電電源装置１００Ａは、経路切替スイッチＳＷ１１、ＳＷ１２、ＳＷ１３、ＳＷ１４、ＳＷ１５およびＳＷ１６に代えて経路切替ＩＣ（Integrated Circuit）１４０−１を備える。経路切替ＩＣ１４０−１は、制御部１２０の制御に応じて、図１における経路切替スイッチＳＷ１１、ＳＷ１２、ＳＷ１３、ＳＷ１４、ＳＷ１５およびＳＷ１６を個別にオンオフするのに相当する経路の切り替えを行う。
【００７８】
また、無停電電源装置１００Ａは、経路切替スイッチＳＷ２１、ＳＷ２２、ＳＷ２３、ＳＷ２４、ＳＷ２５およびＳＷ２６に代えて経路切替ＩＣ１４０−２を備える。経路切替ＩＣ１４０−２は、制御部１２０の制御に応じて、図１における経路切替スイッチＳＷ２１、ＳＷ２２、ＳＷ２３、ＳＷ２４、ＳＷ２５およびＳＷ２６を個別にオンオフするのに相当する経路の切り替えを行う。
【００７９】
また、無停電電源装置１００Ａは、経路切替スイッチＳＷ３１、ＳＷ３２、ＳＷ３３、ＳＷ３４、ＳＷ３５およびＳＷ３６に代えて経路切替ＩＣ１４０−３を備える。経路切替ＩＣ１４０−３は、制御部１２０の制御に応じて、図１におけるＳＷ３１、ＳＷ３２、ＳＷ３３、ＳＷ３４、ＳＷ３５およびＳＷ３６を個別にオンオフするのに相当する経路の切り替えを行う。
【００８０】
また、無停電電源装置１００Ａは、経路切替スイッチＳＷ４１、ＳＷ４２、ＳＷ４３に代えて経路切替ＩＣ１４０−４を備える。経路切替ＩＣ１４０−４は、制御部１２０の制御に応じて、図１における経路切替スイッチＳＷ４１、ＳＷ４２、ＳＷ４３を個別にオンオフするのに相当する経路の切り替えを行う。
【００８１】
また、無停電電源装置１００Ａは、経路切替スイッチＳＷ５１、ＳＷ５２、ＳＷ５３に代えて経路切替ＩＣ１４０−５を備える。経路切替ＩＣ１４０−５は、制御部１２０の制御に応じて、図１における経路切替スイッチＳＷ５１、ＳＷ５２、ＳＷ５３を個別にオンオフするのに相当する経路の切り替えを行う。
【００８２】
また、無停電電源装置１００Ａは、経路切替スイッチＳＷ６１、ＳＷ６２、ＳＷ６３に代えて経路切替ＩＣ１４０−６を備える。経路切替ＩＣ１４０−６は、制御部１２０の制御に応じて、図１における経路切替スイッチＳＷ６１、ＳＷ６２、ＳＷ６３を個別にオンオフするのに相当する経路の切り替えを行う。
【００８３】
このような構成の無停電電源装置１００Ａは、図２による説明と同様に各ＵＰＳ部１１０における充電回路１１２と出力回路１１３と充電池１１４との間での経路を切り替えることが可能である。そのうえで、無停電電源装置１００Ａにおいては、経路切替スイッチが省略されることになる。これにより、例えば、ＵＰＳ部１１０の数の増加に応じた経路切替スイッチの増加を回避することができる。
【００８４】
なお、本実施形態における制御部１２０としての機能を実現するためのプログラムをコンピュータ読み取り可能な記録媒体に記録して、この記録媒体に記録されたプログラムをコンピュータシステムに読み込ませ、実行させることとしてもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８６】
上記の実施形態の一部又は全部は、以下の付記のようにも記載されるが、以下には限られない。
【００８７】
（付記１）充電池と、入力電源を利用して前記充電池に対して充電する充電回路と、前記入力電源の供給が停止した場合に前記充電池に充電された電力を前記入力電源に代えて出力する出力回路を備え、前記入力電源に対して並列に接続される複数の無停電電源部と、
前記複数の無停電電源部における前記充電回路と前記充電池と前記出力回路との間で受給される電力の経路についての切り替えが行われる経路切替部と、
前記無停電電源部の状態に応じて前記経路の切り替えが行われるように前記経路切替部を制御する制御部と
を備えることを特徴とする無停電電源装置。
【００８８】
（付記２）前記経路切替部は、任意の前記充電回路から任意の充電池に充電されるようにするための経路への切り替え、または、任意の前記充電池から任意の前記出力回路に対して電力が供給されるようにする経路への切り替えが行われる
ことを特徴とする付記１に記載の無停電電源装置。
【００８９】
（付記３）前記制御部は、
入力電流が閾値以上となった電力充当対象の無停電電源部に対して、他の無停電電源部における充電池からの電力が前記電力充当対象の無停電電源部における出力回路に供給される経路に切り替わるように前記経路切替部を制御する
ことを特徴とする付記１または付記２に記載の無停電電源装置。
【００９０】
（付記４）前記制御部は、
残量が一定以下となった充電対象の充電池に対して、当該充電対象の充電池を備える無停電電源部における充電回路とともに、前記充電対象の充電池を備える無停電電源部以外の無停電電源部の充電回路からも充電が行われる経路に切り替わるように前記経路切替部を制御する
ことを特徴とする付記１から付記３のいずれかに記載の無停電電源装置。
【００９１】
（付記５）前記複数の無停電電源部には、それぞれ異なる優先度が設定されており、
前記制御部は、
充電池の電力を前記無停電電源部から出力させるにあたり、１つの無停電電源部の出力回路に対して、より優先度の低い無停電電源部の充電池からの電力が供給される経路に切り替わるように前記経路切替部を制御する
ことを特徴とする付記１から付記４のいずれかに記載の無停電電源装置。
【００９２】
（付記６）充電池と、入力電源を利用して前記充電池に対して充電する充電回路と、前記入力電源の供給が停止した場合に前記充電池に充電された電力を前記入力電源に代えて出力する出力回路を備え、前記入力電源に対して並列に接続される複数の無停電電源部の状態に応じて、これら複数の無停電電源部における前記充電回路と前記充電池と前記出力回路との間で受給される電力の経路についての切り替えが行われるように経路切替部を制御する制御ステップ
を備えることを特徴とする無停電電源装置における給電制御方法。
【００９３】
（付記７）コンピュータに、
充電池と、入力電源を利用して前記充電池に対して充電する充電回路と、前記入力電源の供給が停止した場合に前記充電池に充電された電力を前記入力電源に代えて出力する出力回路を備え、前記入力電源に対して並列に接続される複数の無停電電源部の状態に応じて、これら複数の無停電電源部における前記充電回路と前記充電池と前記出力回路との間で受給される電力の経路についての切り替えが行われるように経路切替部を制御する制御ステップを実行させるためのプログラム。
【符号の説明】
【００９４】
１００、１００Ａ  無停電電源装置
１０１  筐体
１１０−１、１１０−２、１１０−３  ＵＰＳ部
１１１−１、１１１−２、１１１−３  スルー経路
１１２−１、１１２−２、１１２−３  充電回路
１１３−１、１１３−２、１１３−３  出力回路
１１４−１、１１４−２、１１４−３  充電池
１２０  制御部
１３１  急速充電ライン
１３２  低速充電ライン
１３３  放電ライン
１７０  経路切替部
１４０  経路切替ＩＣ
２００  商用交流電源
【図１】
0005472282.tif 000002
【図２】
0005472282.tif 000003
【図３】
0005472282.tif 000004
【図４】
0005472282.tif 000005
【図５】
0005472282.tif 000006
【図６】
0005472282.tif 000007